(57)【要約】      （修正有）【課題】玉箱内のパチンコ玉を手で掴むことなく容易に皿体に戻すことができるようにすると共に、遊技者の不注意で玉箱内のパチンコ玉が流出してしまうというトラブルを防止する玉箱を提供する。【解決手段】遊技機の近傍に確保される設置面上に取替可能に設置され、遊技機の皿体から零れたパチンコ玉Ｐを貯留する玉箱１であって、パチンコ玉Ｐを貯留する貯留部と、貯留部の底面部４に形成される玉抜き用開口部５と、玉抜き用開口部５を開閉するスライド式の開閉部材６と、開閉部材６の下面部に突設される開放規制部７とを備え、玉箱１が設置面上に設置されているときは、開放規制部７が設置面に当接し、該設置面との間に生じる摩擦力で開閉部材６の開方向のスライドを規制する。【選択図】図７
0003142243.tif 000002
【実用新案登録請求の範囲】
【請求項１】
遊技機の近傍に確保される設置面上に取替可能に設置され、遊技機の皿体から零れたパチンコ玉を貯留する玉箱であって、
パチンコ玉を貯留する貯留部と、
貯留部の底面部に形成される玉抜き用開口部と、
玉抜き用開口部を開閉するスライド式の開閉部材と、
開閉部材の下面部に突設される開放規制部とを備え、
玉箱が設置面上に設置されているときは、開放規制部が設置面に当接し、該設置面との間に生じる摩擦力で開閉部材の開方向のスライドを規制することを特徴とする玉箱。
【請求項２】
前記開放規制部は、ゴム質弾性材からなるゴム脚部材であることを特徴とする請求項１記載の玉箱。
【請求項３】
前記開閉部材は、貯留部内に突出する開閉操作ツマミを備え、
前記底面部は、パチンコ玉を玉抜き用開口部へ導く傾斜面を有し、該傾斜面で導かれるパチンコ玉の重みが、開閉操作ツマミに対して開閉部材を閉じる方向に作用することを特徴とする請求項１又は２記載の玉箱。
【請求項４】
前記底面部の傾斜方向中間部を支点としてシーソー状に揺動可能に構成され、貯留部に貯留されるパチンコ玉の重みが、底面部の傾斜角を大きくする方向に作用すると共に、開放規制部を設置面に押し付けることを特徴とする請求項１〜３のいずれかに記載の玉箱。
【考案の詳細な説明】
【技術分野】
【０００１】
本考案は、遊技機の近傍に確保される設置面上に取替可能に設置され、遊技機の皿体から零れたパチンコ玉を貯留する玉箱に関する。
【背景技術】
【０００２】
近年、遊技機（パチンコ玉を用いて遊技されるパチンコ機、パチスロ機など）の近傍に確保される設置面上に取替可能に設置され、遊技機の皿体から零れたパチンコ玉を貯留する玉箱について、遊技者やホール店員の要望に応えた様々な玉箱が開発されている。例えば、玉箱に貯留されているパチンコ玉を玉計数機へ流入させる作業を容易に行いたいというホール店員や遊技者の要望に応えた発明が特許文献１に開示されている。また、玉箱に貯留されている残り僅かとなったパチンコ玉を遊技者が掴んで再度皿体に戻すという作業を容易にしたいという要望に応えた発明として、玉箱の底に窪み（玉溜り）を設け、残り僅かなパチンコ玉をその窪みに集積し、遊技者がパチンコ玉を掴み易くする技術が特許文献２に開示されている。
【特許文献１】特許第２８７８６４７号公報
【特許文献２】特開２００４−３３７２０６号公報
【考案の開示】
【考案が解決しようとする課題】
【０００３】
しかしながら、特許文献２に開示されている技術は、遊技者の手の大きさによっては複数回に分けてパチンコ玉を掴んで皿体に戻すという作業をしなければならず、前記要望に必ずしも応えられたものとなっていない。また、特許文献１に開示された技術は、玉計数機に設けられた冶具を用いて玉箱の底の一部を開口し、その開口からパチンコ玉を流下させるものであり、流下先を玉計数機から遊技機の皿体に変更すれば、遊技者がパチンコ玉を掴まずに皿体に戻すことが可能となるが、特許文献１の技術を単純に適用すると、遊技者の不注意で玉抜き用開口部が開き、玉箱内のパチンコ玉が流出してしまうというトラブルの発生が懸念される。
【課題を解決するための手段】
【０００４】
本考案は、上記の如き実情に鑑みこれらの課題を解決することを目的として創作されたものであって、遊技機の近傍に確保される設置面上に取替可能に設置され、遊技機の皿体から零れたパチンコ玉を貯留する玉箱であって、パチンコ玉を貯留する貯留部と、貯留部の底面部に形成される玉抜き用開口部と、玉抜き用開口部を開閉するスライド式の開閉部材と、開閉部材の下面部に突設される開放規制部とを備え、玉箱が設置面上に設置されているときは、開放規制部が設置面に当接し、該設置面との間に生じる摩擦力で開閉部材の開方向のスライドを規制することを特徴とする。このようにすると、玉箱に貯留されている残り僅かとなったパチンコ玉を遊技機の皿体に戻すにあたり、玉箱を皿体の上方位置まで持ち上げ、玉抜き用開口部を開放すれば、玉箱内のパチンコ玉を手で掴むことなく容易に皿体に戻すことができる。しかも、玉箱が設置状態のときは、開放規制部と設置面の摩擦力で開閉部材が閉状態に維持されるので、遊技者の不注意で玉抜き用開口部が開き、玉箱内のパチンコ玉が流出してしまうというトラブルも防止することができる。
また、前記開放規制部は、ゴム質弾性材からなるゴム脚部材であることを特徴とする。このようにすると、一般的で安価なゴム脚部材を用いて開放規制部を形成することにより、コストの上昇を抑えることができる。
また、前記開閉部材は、貯留部内に突出する開閉操作ツマミを備え、前記底面部は、パチンコ玉を玉抜き用開口部へ導く傾斜面を有し、該傾斜面で導かれるパチンコ玉の重みが、開閉操作ツマミに対して開閉部材を閉じる方向に作用することを特徴とする。このようにすると、玉箱に貯留されている残り僅かとなったパチンコ玉を遊技機の皿体に戻すにあたり、開閉操作ツマミの存在によって開閉部材の開閉操作が容易になるだけでなく、底面部の傾斜によって残り少ないパチンコ玉を確実に玉抜き用開口部から排出させることができる。また、所定量以上のパチンコ玉が貯留された玉箱においては、設置状態であるか、持ち上げ状態であるかに拘わらず、パチンコ玉の重みで開閉部材を確実に閉状態に維持し、不注意による玉抜き用開口部の開放を防止することができる。
また、前記底面部の傾斜方向中間部を支点としてシーソー状に揺動可能に構成され、貯留部に貯留されるパチンコ玉の重みが、底面部の傾斜角を大きくする方向に作用すると共に、開放規制部を設置面に押し付けることを特徴とする。このようにすると、設置状態における開閉部材の開放をより確実に規制することができる。
【考案の効果】
【０００５】
以上のような本考案によれば、玉箱に貯留されている残り僅かとなったパチンコ玉を遊技機の皿体に戻すにあたり、玉箱を皿体の上方位置まで持ち上げ、玉抜き用開口部を開放すれば、玉箱内のパチンコ玉を手で掴むことなく容易に皿体に戻すことができる。しかも、玉箱が設置状態のときは、開放規制部と設置面の摩擦力で開閉部材が閉状態に維持されるので、遊技者の不注意で玉抜き用開口部が開き、玉箱内のパチンコ玉が流出してしまうというトラブルも防止することができる。
【考案を実施するための最良の形態】
【０００６】
次に、本考案の実施の形態について、図面に基づいて説明する。図１〜図４において、１は玉箱であって、該玉箱１は、遊技機（パチンコ玉を用いて遊技されるパチンコ機、パチスロ機など）の近傍に確保される設置面Ｓ上に取替可能に設置され、遊技機の皿体から零れたパチンコ玉Ｐを貯留するように構成される。
【０００７】
本実施形態の玉箱１は、透明又は半透明の樹脂材により形成されており、持ち運び用の把手部２と、パチンコ玉Ｐを貯留する貯留部３と、貯留部３の底面部４に形成される玉抜き用開口部５と、玉抜き用開口部５を開閉するスライド式の開閉部材６と、開閉部材６の下面部に突設される開放規制部７とを備える。
【０００８】
玉抜き用開口部５は、玉箱１に貯留されている残り僅かとなったパチンコ玉Ｐを遊技者が再度遊技機の皿体に戻すという作業を容易にしたいという要望に応えるためのものである。底面部４における玉抜き用開口部５の形成位置は、任意であるが、底面部４の隅部、つまり、貯留部３の側壁の近傍であることが好ましい。このようにすると、前記側壁を用いて、玉箱１に貯留されている残り僅かとなったパチンコ玉Ｐを玉抜き用開口部５に容易に導くことが可能になる。
【０００９】
図５〜図８に示すように、開閉部材６は、例えば、樹脂からなる板部材であって、両側縁部が一対のスライドガイド８でスライド自在に支持されており、底面部４に沿ってスライド操作することにより、玉抜き用開口部５が開閉される。このようにすると、玉箱１に貯留されている残り僅かとなったパチンコ玉Ｐを遊技機の皿体に戻すにあたり、玉箱１を皿体の上方位置まで持ち上げ、玉抜き用開口部５を開放すれば、玉箱１内のパチンコ玉Ｐを手で掴むことなく容易に皿体に戻すことが可能になる。また、本実施形態の開閉部材６は、貯留部３内に突出する開閉操作ツマミ９を備えているので、開閉部材６の開閉操作が容易になる。
【００１０】
開放規制部７は、玉箱１の設置状態において、開閉部材６の開放を規制するために設けられている。具体的には、玉箱１が設置面Ｓ上に設置されているときは、開放規制部７が設置面Ｓに当接し、該設置面Ｓとの間に生じる摩擦力で開閉部材６の開方向のスライドを規制するようになっている。このようにすると、玉箱１が設置状態のときは、開放規制部７と設置面Ｓの摩擦力で開閉部材６が閉状態に維持されるので、遊技者の不注意で玉抜き用開口部５が開き、玉箱１内のパチンコ玉Ｐが流出してしまうというトラブルを防止することができる。
【００１１】
開放規制部７の形状や材質に制限はないが、ゴム質弾性材からなるゴム脚部材１０で構成することが好ましい。このようにすると、一般的で安価なゴム脚部材１０を用いて開放規制部７を形成することにより、コストの上昇を抑えることができる。また、本実施形態では、玉抜き用開口部５を玉箱１の右手前の隅部に形成するにあたり、開放規制部７を構成するゴム脚部材１０と同一のゴム脚部材１０を、玉箱１の右奥側の隅部にも設けるようにしたので、玉箱１の支持高さを揃え、玉箱１のガタツキを防止することができる。
【００１２】
底面部４は、パチンコ玉Ｐを玉抜き用開口部５へ導く傾斜面を有し、該傾斜面で導かれるパチンコ玉Ｐの重みを、開閉操作ツマミ９に対して開閉部材６を閉じる方向に作用させることが好ましい。このようにすると、玉箱１に貯留されている残り僅かとなったパチンコ玉Ｐを遊技機の皿体に戻すにあたり、底面部４の傾斜によって残り少ないパチンコ玉Ｐを確実に玉抜き用開口部５から排出させることができる。また、所定量以上のパチンコ玉Ｐが貯留された玉箱１においては、設置状態であるか、持ち上げ状態であるかに拘わらず、パチンコ玉Ｐの重みで開閉部材６を確実に閉状態に維持し、不注意による玉抜き用開口部５の開放を防止することができる。
【００１３】
開閉部材６は、バネ１１によって閉じ方向に付勢されることが好ましい。例えば、底面部４と開閉部材６との間に一対の圧縮コイルバネ（図９参照）を配し、両端をバネ固定具１２で固定する。このようにすると、玉箱１が設置状態であるか、持ち上げ状態であるかに拘わらず、バネ１１の付勢力で開閉部材６を確実に閉状態に維持することができるので、不注意による玉抜き用開口部５の開放を防止することができる。
【００１４】
玉箱１は、図１及び図２に示すように、底面部４の傾斜方向中間部を支点としてシーソー状に揺動可能に構成され、貯留部３に貯留されるパチンコ玉Ｐの重みを、底面部４の傾斜角を大きくする方向に作用させることが好ましい。例えば、底面部４の左右方向中間部に、ゴム質弾性材からなる支点部材１３を設け、該支点部材１３を支点として玉箱１を左右揺動自在とする。このようにすると、貯留部３に貯留されるパチンコ玉Ｐの重みが、開放規制部７を設置面Ｓに押し付ける方向に作用するので、設置状態における開閉部材６の開放をより確実に規制することができる。
【００１５】
叙述の如く構成された本実施形態によれば、遊技機の近傍に確保される設置面Ｓ上に取替可能に設置され、遊技機の皿体から零れたパチンコ玉Ｐを貯留する玉箱１であって、パチンコ玉Ｐを貯留する貯留部３と、貯留部３の底面部４に形成される玉抜き用開口部５と、玉抜き用開口部５を開閉するスライド式の開閉部材６と、開閉部材６の下面部に突設される開放規制部７とを備え、玉箱１が設置面Ｓ上に設置されているときは、開放規制部７が設置面Ｓに当接し、該設置面Ｓとの間に生じる摩擦力で開閉部材６の開方向のスライドを規制するので、玉箱１に貯留されている残り僅かとなったパチンコ玉Ｐを遊技機の皿体に戻すにあたり、玉箱１を皿体の上方位置まで持ち上げ、玉抜き用開口部５を開放すれば、玉箱１内のパチンコ玉Ｐを手で掴むことなく容易に皿体に戻すことができる。しかも、玉箱１が設置状態のときは、開放規制部７と設置面Ｓの摩擦力で開閉部材６が閉状態に維持されるので、遊技者の不注意で玉抜き用開口部５が開き、玉箱１内のパチンコ玉Ｐが流出してしまうというトラブルも防止することができる。また、本実施形態では、一般的で安価なゴム脚部材１０を用いて開放規制部７を形成したので、コストの上昇を抑えることができる。
【００１６】
また、開閉部材６は、貯留部３内に突出する開閉操作ツマミ９を備え、底面部４は、パチンコ玉Ｐを玉抜き用開口部５へ導く傾斜面を有し、該傾斜面で導かれるパチンコ玉Ｐの重みが、開閉操作ツマミ９に対して開閉部材６を閉じる方向に作用するようにしたので、玉箱１に貯留されている残り僅かとなったパチンコ玉Ｐを遊技機の皿体に戻すにあたり、開閉操作ツマミ９の存在によって開閉部材６の開閉操作が容易になるだけでなく、底面部４の傾斜によって残り少ないパチンコ玉Ｐを確実に玉抜き用開口部５から排出させることができる。また、所定量以上のパチンコ玉Ｐが貯留された玉箱１においては、設置状態であるか、持ち上げ状態であるかに拘わらず、パチンコ玉Ｐの重みで開閉部材６を確実に閉状態に維持し、不注意による玉抜き用開口部５の開放を防止することができる。
【００１７】
また、玉箱１は、底面部４の傾斜方向中間部を支点としてシーソー状に揺動可能に構成され、貯留部３に貯留されるパチンコ玉Ｐの重みが、底面部４の傾斜角を大きくする方向に作用すると共に、開放規制部７を設置面Ｓに押し付けるようにしたので、設置状態における開閉部材６の開放をより確実に規制することができる。
【図面の簡単な説明】
【００１８】
【図１】玉なし状態を示す玉箱の正面図である。
【図２】玉あり状態を示す玉箱の正面図である。
【図３】玉抜き用開口部が閉じた状態を示す玉箱の平面図である。
【図４】玉抜き用開口部が開いた状態を示す玉箱の平面図である。
【図５】玉抜き用開口部を示すＸ−Ｘ断面図である。
【図６】玉抜き用開口部が閉じた状態を示すＹ−Ｙ断面図である。
【図７】玉抜き用開口部が開いた状態を示すＺ−Ｚ断面図である。
【図８】玉抜き用開口部の下面図である。
【図９】バネ状態を示す説明図である。
【符号の説明】
【００１９】
１    玉箱
２    把手部
３    貯留部
４    底面部
５    玉抜き用開口部
６    開閉部材
７    開放規制部
８    スライドガイド
９    開閉操作ツマミ
１０  ゴム脚部材
１１  バネ
１２  バネ固定具
１３  支点部材
Ｐ    パチンコ玉
Ｓ    設置面
【図１】
0003142243.tif 000003
【図２】
0003142243.tif 000004
【図３】
0003142243.tif 000005
【図４】
0003142243.tif 000006
【図５】
0003142243.tif 000007
【図６】
0003142243.tif 000008
【図７】
0003142243.tif 000009
【図８】
0003142243.tif 000010
【図９】
0003142243.tif 000011